(57)【特許請求の範囲】
【請求項１】
四角形ないしは略四角形をなす容器の周縁部に被せ得る周縁部から立ち上げた周側部とこれに続く天板部を形成してあり、周側部のうち対向する一組の高さに高低差をつけて天板部に対して傾斜状に形成してある合成樹脂製の蓋であって、対向し合う二組の周側部のうち上記高低差をつけた一組の周側部、および、残り一組の周側部の低い周側部に、その外方から周縁部にかけてスタック用の突出部をそれぞれ形成してあり、当該各突出部の上面がスタックした他方の蓋の周縁部内面に当接するようスタックされる蓋相互において上記各突出部の位置を変化させてあり、スタックされる蓋相互間の間隔が各突出部にて保持されて蓋が垂直状態に順次スタックされるようにしてあることを特徴とする合成樹脂製の蓋。
【請求項２】
上記低い周側部に形成したスタック用の突出部の下部にさらに小突出部を形成してあることを特徴とする請求項１記載の合成樹脂製の蓋。
【請求項３】
請求項１または２に記載の蓋に組合される容器であって、底面から立上げた周側部のうち、対向する一組の高さに高低差をつけて形成してあり、高低差をつけた一組の周側部の高い側とつながる高い周側部および低い側とつながる低い周側部の底面に対する開き角度が直角より大きく拡開してあると共に同じ開き角度に形成してあることを特徴とする容器。
【請求項４】
請求項１または２に記載の蓋を容器とし、請求項３に記載の容器を蓋として用いるようにしたことを特徴とする蓋および容器。
【発明の詳細な説明】
【０００１】
【発明の属する技術分野】
本発明は合成樹脂製の蓋およびこれを用いた合成樹脂製の容器に関する。
【０００２】
【従来の技術】
従来における合成樹脂製の蓋や容器にあっては、収納される商品の見栄えを良好にすべく、角形ないしは略角形をなすものの場合、少なくとも一組の周側部の高さに高低差をつけて商品をできるだけ立体感よく視覚できるように工夫されてきた。
【０００３】
しかしながら、周側部の高さに高低差をつけると、図６のごとき形状の蓋５０を一例として挙げると、これらの蓋５０を多数スタックした場合には、周側部５１，５２の高低のためスタック状態が垂直状になり難く、どうしても図７のごとく低い側に傾いた傾斜状態のスタック状態になり易く、周縁部５３，５４に重なり防止用としての突出部５５，５６を形成しても突出部５５，５６が同位置にあると、嵌合し合って傾斜状態は依然改善されないのが実状であり、スタック状態における荷崩れ現象が生じやすく自動包装装置への供給もし難く取扱い難いものであった。
【０００４】
また、上記蓋形状のものが容器として使用される場合も同様であるが、他例となる容器６０の一例を挙げると、図８のごとく、底面から立上げた周側部６１，６２のうち、対向する一組の高さに高低をつけて形成し、さらに高低をつけた底面６３に対する開き角度を直角より大きく拡開してある形状の場合、高低差による傾斜に対する両方の周側部の角度α1 とα2 とを等角度にして成形時の型抜きがし易いように配慮していたが、この場合底面に対する開き角度βとγとが異なるため、スタックした場合、開き角度の大きい高低差の低い側の周側部側へとスタック状態が図９のごとく傾き易く、この場合も先の蓋の場合と同様に、傾斜状態のスタック状態となり、改善が要求されていた。
【０００５】
【発明が解決しようとする課題】
そこで、こうした課題を解決すべく本発明においては、垂直状の安定したスタック状態を確実に実現できるようにしたものである。
【０００６】
【課題を解決するための手段】
上記課題を解決しようとする本発明における合成樹脂製の蓋としては、請求項１に記載したように、四角形ないしは略四角形をなす容器の周縁部に被せ得る周縁部から立ち上げた周側部とこれに続く天板部を形成してあり、周側部のうち対向する一組の高さに高低差をつけて天板部に対して傾斜状に形成してある合成樹脂製の蓋であって、対向し合う二組の周側部のうち上記高低差をつけた一組、および、残り一組の周側部の低い周側部に、その周側部の外方から周縁部にかけてスタック用の突出部をそれぞれ形成してあり、当該各突出部の上面がスタックした他方の蓋の周縁部内面に当接するようスタックされる蓋相互において上記各突出部の位置を変化させてあり、スタックされる蓋相互間の間隔が各突出部にて保持されて蓋が垂直状態に順次スタックされるようにしてあることを特徴としている。
【０００７】
この請求項１に記載した蓋によると、多くをスタックした場合にも、スタック用の各突出部が蓋相互の間隔を確実に保持するとともに蓋が傾いてスタックされるのを防ぎ、常に垂直状にスタックされることになり、スタックの荷崩れ現象を解消でき、自動包装装置等への供給も安定することになる。
スタック用の突出部は、高低差をつけた一組の周側部、および低い周側部に形成されてあるので、どうしても低い側の周側部へと蓋全体がスタック時に傾き易い点を、低い周側部に形成したスタック用の突出部にて確実に防ぐことができ、垂直状態でのスタック状態を維持するのに好都合となるものである。
【０００８】
次いで、請求項２記載のように、上記低い周側部に形成したスタック用の突出部の下部にさらに小突出部を形成してあると、この小突出部がスタックされる下部の蓋の周側面内面に当接し、スタック時の傾斜を防ぐのにより有効に作用できる。
さらに、請求項３に記載したように、請求項１または請求項２記載の蓋に組合される容器であって、底面から立上げた周側部のうち、対向する一組の高さに高低差をつけて形成してあり、高低差をつけた一組の周側部の高い側とつながる高い周側部および低い側とつながる低い周側部の底面に対する開き角度が直角より大きく拡開してあると共に同じ開き角度に形成してあることを特徴としていると、こうした容器の場合にも非常に垂直状態の安定したスタック状態を維持できることになる。
【０００９】
なお、上記した蓋を容器として容器を蓋として逆にしたような使用も可能である（請求項５参照）。
【００１０】
【発明の実施の形態】
次いで、本発明の実施態様について図を参照して説明する。
図１は本発明による蓋Ａの斜視図を示しており、図２はスタック状態を示している。
蓋Ａは角形ないしは略角形をなしているものであり、図の場合、三辺が直線状で一辺が大きな弧形をなす略四角形状、より具体的には略長方形の蓋形状を示しており、容器Ｂの周縁部ｂに被せ得る周縁部１０，１１，１２，１３から立上げて周側部１４，１５，１６，１７を形成するとともに、これらに続く天板部１８を形成している。
【００１１】
上記周側部のうち、対向する一組の周側部１６，１７の高さに高低差Ｈ，ｈをつけて天板部１８に対して傾斜状になるよう形成してある。そして周側部のうち、少なくとも対向する一組の周側部１６，１７の外方から周縁部１２，１３にかけてスタック用の突出部１９ａ，１９ｂをそれぞれ形成し、図の場合、長方形の長辺側のうち低い周側部１５にもスタック用の突出部１９ｃを形成している。さらに当該突出部１９ａ、１９ｂ，１９ｃの上面がスタックした他方の蓋Ａの周縁部の内面に当接するようスタックされる蓋Ａ，Ａ相互において上記突出部１９ａ，１９ｂ，１９ｃの位置を変化させてある。この位置変化によって突出部どうしが嵌まり合ったりするのを防ぎ、スタックされる蓋相互間の間隔が突出部１９ａ，１９ｂ，１９ｃにて保持されて蓋Ａ，Ａ……が垂直状態に順次スタックされるようにしてある（図２参照）。
【００１２】
特に突出部１９ｃの下部には小突出部３０が形成されてあり、この小突出部３０が下部の蓋の周側部内面に当接し、スタック時に傾斜することを防ぐのにより有効に作用している。
次に、図３には上記蓋Ａに組み合わせて使用される容器（容器本体）Ｂを示してあり、図４には容器Ｂのスタック状態を示してある。
【００１３】
この容器Ｂは底面２５から立上げた周側部２０，２１，２２，２３のうち、対向する一組の周側部２２，２３の高さに高低差をつけて形成してある。そして高低差をつけた一組の周側部２２，２３の低い側とつながる低い周側部２１および高い側とつながる高い周側部２０の底面２５に対する開き角度β，γが直角より大きく拡開しているとともに同じ開き角度に形成してあるもので、スタックした場合にも高低差のある低い側へとスタック状態が傾くのを防ぎ、垂直状の安定したスタック状態に維持し易く、スタック状態での荷崩れ現象を防ぐことができる（図４参照）。
【００１４】
なお、上記説明した蓋Ａを容器（本体）とし、上記説明した容器Ｂを蓋としてそれぞれ組合わして、先とは逆な使用方法によってもその特徴とする安定したスタッキング効果は全く変わらないものであり、一方または双方を透明な合成樹脂製にしたり、発泡樹脂製にすることについては、何れの実施態様にも自由に選択できる技術内容である。
【００１５】
【発明の効果】
本発明による合成樹脂製の蓋およびこれを用いた合成樹脂製の容器については、蓋、容器の何れの場合も、傾斜したスタック状態を回避して、垂直状に順次スタックした安定なスタック状態を提供することができ、スタック状態での荷崩れ現象を防ぎ、自動包装装置等への安定した供給が実現できることになる。
【図面の簡単な説明】
【図１】蓋の傾斜図である。
【図２】蓋のスタック状態を示す側面図である。
【図３】容器の傾斜図である。
【図４】容器のスタック状態を示す断面図である。
【図５】閉蓋状態の断面図である。
【図６】従来の蓋を示す斜視図である。
【図７】従来の蓋のスタック状態を示す側面図である。
【図８】従来の容器を示す断面図である。
【図９】従来の容器のスタック状態を示す断面図である。
【符号の説明】
Ａ    蓋
１０，１１，１２，１３    周縁部
１４，１５，１６，１７    周側部
１８    天板部
Ｈ，ｈ    高低差
１９ａ，１９ｂ，１９ｃ    スタック用の突出部
Ｂ    容器
ｂ    周縁部
２０，２１，２２，２３    周側部
２５    底面
β，γ  開き角度
【図１】
0003953219.tif 000002
【図２】
0003953219.tif 000003
【図３】
0003953219.tif 000004
【図４】
0003953219.tif 000005
【図５】
0003953219.tif 000006
【図６】
0003953219.tif 000007
【図７】
0003953219.tif 000008
【図８】
0003953219.tif 000009
【図９】
0003953219.tif 000010